(57)【要約】      （修正有）【課題】効率的に下りリンクの伝送を行うことができる方法を提供する。【解決手段】端末装置は、セカンダリセルの活性化を指示する活性化／非活性化ＭＡＣ  ＣＥを受信する受信部と、前記活性化／非活性化ＭＡＣ  ＣＥを受信したこと、および、前記セカンダリセルに含まれる複数の下りリンクＢＷＰのうちの何れも活性化されていないことに少なくとも基づいて、前記複数の下りリンクＢＷＰのうちの第１の下りリンクＢＷＰを活性化する媒体アクセス制御層処理部とを備える。【選択図】図４
2019080111.tif 000002
【特許請求の範囲】
【請求項１】
セカンダリセルの活性化を指示する活性化／非活性化ＭＡＣ  ＣＥを受信する受信部と、
前記活性化／非活性化ＭＡＣ  ＣＥを受信したこと、および、前記セカンダリセルに含まれる複数の下りリンクＢＷＰのうちの何れも活性化されていないことに少なくとも基づいて、前記複数の下りリンクＢＷＰのうちの第１の下りリンクＢＷＰを活性化する媒体アクセス制御層処理部と、を備える
端末装置。
【請求項２】
前記媒体アクセス制御層処理部は、前記複数の下りリンクＢＷＰのうち、前記第１の下りリンクＢＷＰ以外の下りリンクＢＷＰが活性化されている場合、前記活性化／非活性化ＭＡＣ  ＣＥを受信したとしても、前記第１の下りリンクＢＷＰを活性化しない
請求項１に記載の端末装置。
【請求項３】
前記複数の下りリンクＢＷＰのそれぞれはインデックスに対応し、
前記第１の下りリンクＢＷＰは、最も小さいインデックスに対応している
請求項１に記載の端末装置。
【請求項４】
前記第１の下りリンクＢＷＰは、基地局装置から受信されたパラメータによって指示される
請求項１に記載の端末装置。
【請求項５】
セカンダリセルの活性化を指示する活性化／非活性化ＭＡＣ  ＣＥを、端末装置に送信する送信部と、
前記活性化／非活性化ＭＡＣ  ＣＥを送信することによって、前記セカンダリセルに含まれる複数の下りリンクＢＷＰのうちの活性化される下りリンクＢＷＰを制御する媒体アクセス制御層処理部と、を備え、
前記複数の下りリンクＢＷＰのうちの第１の下りリンクＢＷＰは、前記活性化／非活性化ＭＡＣ  ＣＥを受信したこと、および、前記セカンダリセルに含まれる複数の下りリンクＢＷＰのうちの何れも活性化されていないことに少なくとも基づいて、前記端末装置によって活性化される
基地局装置。
【請求項６】
端末装置に用いられる通信方法であって、
セカンダリセルの活性化を指示する活性化／非活性化ＭＡＣ  ＣＥを受信し、
前記活性化／非活性化ＭＡＣ  ＣＥを受信したこと、および、前記セカンダリセルに含まれる複数の下りリンクＢＷＰのうちの何れも活性化されていないことに少なくとも基づいて、前記複数の下りリンクＢＷＰのうちの第１の下りリンクＢＷＰを活性化する
通信方法。
【請求項７】
基地局装置に用いられる通信方法であって、
セカンダリセルの活性化を指示する活性化／非活性化ＭＡＣ  ＣＥを、端末装置に送信し、
前記活性化／非活性化ＭＡＣ  ＣＥを送信することによって、前記セカンダリセルに含まれる複数の下りリンクＢＷＰのうちの活性化される下りリンクＢＷＰを制御し、
前記複数の下りリンクＢＷＰのうちの第１の下りリンクＢＷＰは、前記活性化／非活性化ＭＡＣ  ＣＥを受信したこと、および、前記セカンダリセルに含まれる複数の下りリンクＢＷＰのうちの何れも活性化されていないことに少なくとも基づいて、前記端末装置によって活性化される
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている。また、３ＧＰＰにおいて、新た
な無線アクセス方式（以下、「New Radio（NR）」と称する。）が検討されている。ＬＴ
Ｅでは、基地局装置をｅＮｏｄｅＢ（evolved NodeB）とも称する。ＮＲでは、基地局装
置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
ＮＲにおいて、１つのサービングセルに対してＢＷＰ（bandwidth part）のセットが設定される（非特許文献３）。端末装置は、ＢＷＰにおいてＰＤＣＣＨとＰＤＳＣＨを受信する。
【先行技術文献】
【非特許文献】
【０００４】
【非特許文献１】"3GPP TS 38.211 V1.0.0 (2017-09), NR; Physical channels and modulation", 7th September, 2017.
【非特許文献２】"3GPP TS 38.212 V1.0.0 (2017-09), NR; Multiplexing and channel coding", 7th September, 2017.
【非特許文献３】"3GPP TS 38.213 V1.0.1 (2017-09), NR; Physical layer procedures for control", 7th September, 2017.
【非特許文献４】"3GPP TS 38.214 V1.0.1 (2017-09), NR; Physical layer procedures for data", 7th September, 2017.
【発明の概要】
【発明が解決しようとする課題】
【０００５】
本発明は、効率的に下りリンク送信の受信を行うことができる端末装置、該端末装置に用いられる通信方法、効率的に下りリンク送信を行うことができる基地局装置、および、該基地局装置に用いられる通信方法を提供する。
【課題を解決するための手段】
【０００６】
（１）本発明の態様は、以下のような手段を講じた。すなわち、本発明の第１の態様は、端末装置であって、セカンダリセルの活性化を指示する活性化／非活性化ＭＡＣ  ＣＥを受信する受信部と、前記活性化／非活性化ＭＡＣ  ＣＥを受信したこと、および、前記セカンダリセルに含まれる複数の下りリンクＢＷＰのうちの何れも活性化されていないことに少なくとも基づいて、前記複数の下りリンクＢＷＰのうちの第１の下りリンクＢＷＰを活性化する媒体アクセス制御層処理部と、を備える。例えば、セカンダリセルの活性化を指示するＭＡＣ  ＣＥを受信した場合に、端末装置１は、前記セカンダリセルにおける全ての下りリンクＢＷＰ８３１、８３２、８３３、８３４が活性化されていないことに少なくとも基づいて、デフォルト下りリンクＢＷＰ８３２を活性化してもよい。
【０００７】
（２）本発明の第２の態様は、基地局装置であって、基地局装置３であって、セカンダリセルの活性化を指示する活性化／非活性化ＭＡＣ  ＣＥを、端末装置に送信する送信部と、前記活性化／非活性化ＭＡＣ  ＣＥを送信することによって、前記セカンダリセルに含まれる複数の下りリンクＢＷＰのうちの活性化される下りリンクＢＷＰを制御する媒体アクセス制御層処理部と、を備え、前記複数の下りリンクＢＷＰのうちの第１の下りリンクＢＷＰは、前記活性化／非活性化ＭＡＣ  ＣＥを受信したこと、および、前記セカンダリセルに含まれる複数の下りリンクＢＷＰのうちの何れも活性化されていないことに少なくとも基づいて、前記端末装置によって活性化される。
【０００８】
（３）本発明の第３の態様は、端末装置であって、セカンダリセルの活性化を指示する活性化／非活性化ＭＡＣ  ＣＥを受信する受信部と、前記活性化／非活性化ＭＡＣ  ＣＥを受信したこと、および、前記セカンダリセルに含まれる複数の下りリンクＢＷＰのうちの何れも活性化されていないことに少なくとも基づいて、第１のＣＯＲＥＳＥＴのセットにおけるＰＤＣＣＨのモニタに関する機能を活性化する媒体アクセス制御層処理部と、を含み、前記第１のＣＯＲＥＳＥＴは、前記セカンダリセルに含まれる複数のＣＯＲＥＳＥＴのうちの１つまたは複数を含む。第１のＣＯＲＥＳＥＴのセットは、第１のＣＯＲＥＳＥＴの設定に対応している。例えば、第１のＣＯＲＥＳＥＴのセットは、ＣＯＲＥＳＥＴ８１１、８１２を含んでもよい。下りリンクＢＷＰを活性化することは、当該下りリンクＢＷＰに属する１つまたは複数のＣＯＲＥＳＥＴにおけるＰＤＣＣＨのモニタに関する機能を活性化することである。
【０００９】
（４）本発明の第４の態様は、基地局装置であって、セカンダリセルの活性化を指示する活性化／非活性化ＭＡＣ  ＣＥを、端末装置に送信する送信部と、前記活性化／非活性化ＭＡＣ  ＣＥを送信することによって、前記セカンダリセルに含まれる複数のＣＯＲＥＳＥＴのうち、前記端末装置によってＰＤＣＣＨのモニタリングに関する機能が活性化されるＣＯＲＥＳＥＴを制御する媒体アクセス制御層処理部と、を備え、第１のＣＯＲＥＳＥＴのセットにおけるＰＤＣＣＨのモニタに関する機能は、前記活性化／非活性化ＭＡＣ
ＣＥを受信したこと、および、前記セカンダリセルに含まれる複数の下りリンクＢＷＰのうちの何れも活性化されていないことに少なくとも基づいて、前記端末装置によって活性化され、前記第１のＣＯＲＥＳＥＴは、前記セカンダリセルに含まれる複数のＣＯＲＥＳＥＴのうちの１つまたは複数を含む。
【００１０】
（５）本発明の第５の態様は、端末装置に用いられる通信方法であって、セカンダリセルの活性化を指示する活性化／非活性化ＭＡＣ  ＣＥを受信し、前記活性化／非活性化ＭＡＣ  ＣＥを受信したこと、および、前記セカンダリセルに含まれる複数の下りリンクＢＷＰのうちの何れも活性化されていないことに少なくとも基づいて、前記複数の下りリンクＢＷＰのうちの第１の下りリンクＢＷＰを活性化する。
【００１１】
（６）本発明の第６の態様は、基地局装置に用いられる通信方法であって、セカンダリセルの活性化を指示する活性化／非活性化ＭＡＣ  ＣＥを、端末装置に送信し、前記活性化／非活性化ＭＡＣ  ＣＥを送信することによって、前記セカンダリセルに含まれる複数の下りリンクＢＷＰのうちの活性化される下りリンクＢＷＰを制御し、前記複数の下りリンクＢＷＰのうちの第１の下りリンクＢＷＰは、前記活性化／非活性化ＭＡＣ  ＣＥを受信したこと、および、前記セカンダリセルに含まれる複数の下りリンクＢＷＰのうちの何れも活性化されていないことに少なくとも基づいて、前記端末装置によって活性化される。
【００１２】
（７）本発明の第７の態様は、端末装置に用いられる通信方法であって、セカンダリセルの活性化を指示する活性化／非活性化ＭＡＣ  ＣＥを受信し、前記活性化／非活性化ＭＡＣ  ＣＥを受信したこと、および、前記セカンダリセルに含まれる複数の下りリンクＢ
ＷＰのうちの何れも活性化されていないことに少なくとも基づいて、第１のＣＯＲＥＳＥＴのセットにおけるＰＤＣＣＨのモニタに関する機能を活性化し、前記第１のＣＯＲＥＳＥＴは、前記セカンダリセルに含まれる複数のＣＯＲＥＳＥＴのうちの１つまたは複数を含む。
【００１３】
（８）本発明の第８の態様は、基地局装置に用いられる通信方法であって、セカンダリセルの活性化を指示する活性化／非活性化ＭＡＣ  ＣＥを、端末装置に送信し、前記活性化／非活性化ＭＡＣ  ＣＥを送信することによって、前記セカンダリセルに含まれる複数のＣＯＲＥＳＥＴのうち、前記端末装置によってＰＤＣＣＨのモニタリングに関する機能が活性化されるＣＯＲＥＳＥＴを制御し、第１のＣＯＲＥＳＥＴのセットにおけるＰＤＣＣＨのモニタに関する機能は、前記活性化／非活性化ＭＡＣ  ＣＥを受信したこと、および、前記セカンダリセルに含まれる複数の下りリンクＢＷＰのうちの何れも活性化されていないことに少なくとも基づいて、前記端末装置によって活性化され、前記第１のＣＯＲＥＳＥＴは、前記セカンダリセルに含まれる複数のＣＯＲＥＳＥＴのうちの１つまたは複数を含む。
【発明の効果】
【００１４】
この発明によれば、端末装置は効率的に下りリンク送信の受信を行うことができる。また、基地局装置は効率的に下りリンク送信を行うことができる。
【図面の簡単な説明】
【００１５】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の端末装置１の構成を示す概略ブロック図である。
【図５】本実施形態の基地局装置３の構成を示す概略ブロック図である。
【図６】本実施形態におけるサービングセルと下りリンクＢＷＰの設定に関するシーケンスチャートを示す図である。
【図７】本実施形態におけるセカンダリセルの活性化に関するフローを示す図である。
【図８】本実施形態におけるセカンダリセルの下りリンクＢＷＰの一例を示す図である。
【図９】本実施形態におけるＣＯＲＥＳＥＴの一例を示す図である。
【図１０】本実施形態におけるサーチスペースの一例を示す図である。
【発明を実施するための形態】
【００１６】
以下、本発明の実施形態について説明する。
【００１７】
図１は、本実施形態の無線通信システムの概念図である。図１において、無線通信システムは、端末装置１、および、基地局装置３を具備する。
【００１８】
本実施形態の物理チャネルおよび物理信号について説明する。
【００１９】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２０】
ＰＵＣＣＨは、下りリンクのＣＳＩ（Channel State Information）、および／または
、ＨＡＲＱ−ＡＣＫ（Hybrid Automatic Repeat reQuest）を送信するために用いられる
。ＣＳＩ、および、ＨＡＲＱ−ＡＣＫは、上りリンク制御情報（Uplink Control Information: UCI）である。
【００２１】
ＰＵＳＣＨは、上りリンクデータ（Transport block, Uplink-Shared Channel: UL-SCH）、下りリンクのＣＳＩ、および／または、ＨＡＲＱ−ＡＣＫを送信するために用いられる。ＣＳＩ、および、ＨＡＲＱ−ＡＣＫは、上りリンク制御情報（Uplink Control Information: UCI）である。端末装置１は、上りリンクグラント（uplink grant）を含むＰＤ
ＣＣＨ（Physical Downlink Control Channel）の検出に基づいてＰＵＳＣＨを送信して
もよい。
【００２２】
ＰＲＡＣＨは、ランダムアクセスプリアンブルを送信するために用いられる。
【００２３】
上りリンクの無線通信では、以下の上りリンク物理シグナルが用いられる。上りリンク物理シグナルは、上位層から出力された情報を送信するために使用されないが、物理層によって使用される。
・ＤＭＲＳ（Demodulation Reference Signal）
【００２４】
ＤＭＲＳは、ＰＵＣＣＨまたはＰＵＳＣＨの送信に関連する。ＤＭＲＳは、ＰＵＳＣＨと時間多重されてもよい。基地局装置３は、ＰＵＳＣＨの伝搬路補正を行なうためにＤＭＲＳを使用してもよい。
【００２５】
基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
・ＰＤＳＣＨ（Physical Downlink Control Channel）
【００２６】
ＰＤＣＣＨは、下りリンク制御情報（Downlink Control Information: DCI）を送信す
るために用いられる。下りリンク制御情報を、ＤＣＩフォーマットとも称する。下りリンク制御情報は、上りリンクグラント（uplink grant）を含む。上りリンクグラントは、単一のセル内の単一のＰＵＳＣＨのスケジューリングに用いられてもよい。上りリンクグラントは、単一のセル内の複数のスロットにおける複数のＰＵＳＣＨのスケジューリングに用いられてもよい。上りリンクグラントは、単一のセル内の複数のスロットにおける単一のＰＵＳＣＨのスケジューリングに用いられてもよい。
【００２７】
ＰＤＳＣＨは、下りリンクデータ（Transport block, Downlink-Shared Channel: DL-SCH）を送信するために用いられる。
【００２８】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
【００２９】
以下、キャリアアグリゲーションについて説明する。
【００３０】
本実施形態では、端末装置１は、１つまたは複数のサービングセルが設定される。端末装置１が複数のサービングセルを介して通信する技術をセルアグリゲーション、またはキャリアアグリゲーションと称する。端末装置１に対して設定される複数のサービングセル
のそれぞれにおいて、本発明が適用されてもよい。また、設定された複数のサービングセルの一部において、本発明が適用されてもよい。複数のサービングセルは、少なくとも１つのプライマリセルを含む。複数のサービングセルは、１つ、または、複数のセカンダリセルを含んでもよい。
【００３１】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（Radio Resource Control）コネクションが確立された時点、または、後に、セカンダリセルが設定されてもよい。
【００３２】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００３３】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００３４】
サービングセルのそれぞれに対して下りリンクＢＷＰ（bandwidth part）のセットが設定されてもよい。下りリンクＢＷＰのセットは１つまたは複数の下りリンクＢＷＰを含んでもよい。サービングセルに対する下りリンクＢＷＰのセットに含まれる下りリンクＢＷＰを、サービングセルにおける下りリンクＢＷＰ、または、サービングセルに含まれる下りリンクＢＷＰとも称する。１つの物理チャネルは、複数の下りリンクＢＷＰのうち１つの下りリンクＢＷＰにおいて送信される。１つの下りリンクＢＷＰは、周波数領域において連続する複数の物理リソースブロックから構成されてもよい。
【００３５】
以下、本実施形態の無線フレーム（radio frame）の構成について説明する。
【００３６】
図２は、本実施形態の無線フレームの概略構成を示す図である。図２において、横軸は時間軸である。無線フレームのそれぞれは、１０ｍｓ長であってもよい。また、無線フレームのそれぞれは１０のスロットから構成されてもよい。スロットのそれぞれは、１ｍｓ長であってもよい。
【００３７】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。上りリンクスロットはＮＵＬｓｙｍｂ個のＳＣ−ＦＤＭＡシンボルを含んでもよい。上りリンクスロットはＮＵＬｓｙｍｂ個のＯＦＤＭシンボルを含んでもよい。以下、本実施形態では、上りリンクスロットがＯＦＤＭシンボルを含む場合を用いて説明をするが、上りリンクスロットがＳＣ−ＦＤＭＡシンボルを含む場合にも本実施形態を適用することはできる。
【００３８】
図３において、ｌはＯＦＤＭシンボル番号／インデックスであり、ｋはサブキャリア番号／インデックスである。スロットのそれぞれにおいて送信される物理シグナルまたは物理チャネルは、リソースグリッドによって表現される。上りリンクにおいて、リソースグリッドは複数のサブキャリアと複数のＯＦＤＭシンボルによって定義される。リソースグリッド内のエレメントのそれぞれをリソースエレメントと称する。リソースエレメントは
、サブキャリア番号／インデックスｋ、および、ＯＦＤＭシンボル番号／インデックスｌによって表される。
【００３９】
上りリンクスロットは、時間領域において、複数ＯＦＤＭシンボルｌ（ｌ＝０，１，．．．，ＮＵＬｓｙｍｂ）を含む。上りリンクにおけるノーマルＣＰ（normal Cyclic Prefix）に対して、ＮＵＬｓｙｍｂは７または１４であってもよい。上りリンクにおける拡張ＣＰ（extended CP）に対して、ＮＵＬｓｙｍｂは６または１２であってもよい。
【００４０】
端末装置１は、上りリンクにおけるＣＰ長を示す上位層のパラメータUL-CyclicPrefixLengthを基地局装置３から受信する。基地局装置３は、セルに対応する該上位層のパラメ
ータUL-CyclicPrefixLengthを含むシステムインフォメーションを、該セルにおいて報知
してもよい。
【００４１】
上りリンクスロットは、周波数領域において、複数のサブキャリアｋ（ｋ＝０，１，．．．，ＮＵＬＲＢ・ＮＲＢＳＣ)を含む。ＮＵＬＲＢは、ＮＲＢＳＣの倍数によって表現
される、サービングセルに対する上りリンク帯域幅設定である。ＮＲＢＳＣは、サブキャリアの数によって表現される、周波数領域における（物理）リソースブロックサイズである。サブキャリア間隔Δfは１５ｋＨｚであってもよい。ＮＲＢＳＣは１２であってもよ
い。周波数領域における（物理）リソースブロックサイズは１８０ｋＨｚであってもよい。
【００４２】
１つの物理リソースブロックは、時間領域においてNULsymbの連続するＯＦＤＭシンボ
ルと周波数領域においてＮＲＢＳＣの連続するサブキャリアとから定義される。ゆえに、１つの物理リソースブロックは（ＮＵＬｓｙｍｂ・ＮＲＢＳＣ）のリソースエレメントから構成される。１つの物理リソースブロックは、時間領域において１つのスロットに対応してもよい。物理リソースブロックは周波数領域において、周波数の低いほうから順に番号ｎＰＲＢ（0,1,…, NULRB-1）が付けられてもよい。
【００４３】
本実施形態における下りリンクのスロットは、複数のＯＦＤＭシンボルを含む。本実施形態における下りリンクのスロットの構成は上りリンクと基本的に同じであるため、下りリンクのスロットの構成の説明は省略する。
【００４４】
以下、本実施形態における装置の構成について説明する。
【００４５】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、符号化部、復号部、または、物理層処理部とも称する。
【００４６】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【００４７】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ランダムアクセス手順の制御を行う
。
【００４８】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００４９】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００５０】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【００５１】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【００５２】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００５３】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００５４】
図５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、符号化部、復号部、または、物理層処理部とも称する。
【００５５】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００５６】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、ランダムアクセス手順の制御を行う
。
【００５７】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【００５８】
無線送受信部３０の機能は、無線送受信部１０と同様であるため説明を省略する。
【００５９】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部のそれぞれは、少なくとも１つのプロセッサと前記少なくとも１つのプロセッサと連結されるメモリとして構成されてもよい。基地局装置３が備える符号３０から符号３６が付された部のそれぞれは、少なくとも１つのプロセッサと前記少なくとも１つのプロセッサと連結されるメモリとして構成されてもよい。
【００６０】
図６は、本実施形態におけるサービングセルと下りリンクＢＷＰの設定に関するシーケンスチャートを示す図である。
【００６１】
６００において、端末装置１は、プライマリセルにおける初期下りリンクＢＷＰおいて、初期コネクション確立手順、コネクション再確立手順、または、ハンドオーバ手順を行う。
【００６２】
６０４において、端末装置１は、ＲＲＣＣｏｎｎｅｃｔｉｏｎＲｅｃｏｎｆｉｇｕｒａｔｉｏｎメッセージ６０５を受信する。ＲＲＣＣｏｎｎｅｃｔｉｏｎＲｅｃｏｎｆｉｇｕｒａｔｉｏｎメッセージ６０５は、プライマリセルに対する下りリンクＢＷＰのセット、セカンダリセル、および、セカンダリセルに対する下りリンクＢＷＰのセットの設定情報を含んでもよい。端末装置１は、当該設定情報に基づいて、プライマリセルに対する下りリンクＢＷＰのセット、セカンダリセル、および、セカンダリセルに対する下りリンクＢＷＰのセットを設定してもよい。
【００６３】
６０７において、端末装置１は、ＲＲＣＣｏｎｎｅｃｔｉｏｎＲｅｃｏｎｆｉｇｕｒａｔｉｏｎメッセージ６０５に基づく設定が完了した後に、ＲＲＣＣｏｎｎｅｃｔｉｏｎＣｏｍｐｌｅｔｅメッセージ６０７を送信する。
【００６４】
以下、下りリンクＢＷＰの活性化について説明をする。
【００６５】
下りリンクＢＷＰを活性化することは、下りリンクＢＷＰにおけるＰＤＣＣＨのモニタリングを適用することを意味する。
【００６６】
ある時点において、１つのサービングセルおいて最大で１つの下りリンクＢＷＰが活性化されてもよい。すなわち、１つのサービングセルにおいて複数の下りリンクＢＷＰは同時に活性化されない。
【００６７】
プライマリセルにおいて常に１つの下りリンクＢＷＰが活性化されていてもよい。セカンダリセルにおいて全ての下りリンクＢＷＰが活性化されていなくてもよい。活性化されている下りリンクＢＷＰを含むサービングセルを活性化されたサービングセルとも称する。活性化されている下りリンクＢＷＰを含まないサービングセルを非活性化されたサービングセルとも称する。活性化されている下りリンクＢＷＰを含むセカンダリセルを活性化されたセカンダリセルとも称する。活性化されている下りリンクＢＷＰを含まないセカンダリセルを非活性化されたセカンダリセルとも称する。すなわち、プライマリセルは常に活性化されていてもよい。何れの下りリンクＢＷＰも活性化されていないセカンダリセルにおける何れかの下りリンクＢＷＰを活性化することは、セカンダリセルを活性化することを意味する。セカンダリセルにおける全ての活性化されている下りリンクＢＷＰを非活性化することは、セカンダリセルを非活性化することを意味する。
【００６８】
プライマリセルに対する下りリンクＢＷＰのセットが設定されるまで、プライマリセルにおける初期下りリンクＢＷＰが活性化されていてもよい。プライマリセルに対する下りリンクＢＷＰのセットが設定されたことに基づいて、初期下りリンクＢＷＰを非活性化し、プライマリセルに対する下りリンクＢＷＰのセットのうちの何れかの下りリンクＢＷＰを活性化してもよい。ＲＲＣＣｏｎｎｅｃｔｉｏｎＲｅｃｏｎｆｉｇｕｒａｔｉｏｎメッセージ６０５は、プライマリセルに対する下りリンクＢＷＰのセットが設定されたことに基づいて活性化される下りリンクＢＷＰを示す情報を含んでもよい。活性化されている下りリンクＢＷＰを非活性化し、非活性化されている下りリンクＢＷＰを活性化することは、活性化されている下りリンクＢＷＰを他の下りリンクＢＷＰにスイッチすることを意味する。
【００６９】
セカンダリセルが追加された時点において、セカンダリセルにおける全ての下りリンクＢＷＰは非活性化されていてもよい。基地局装置３は、活性化／非活性化ＭＡＣ（Medium
Access Control）ＣＥ（Control Element）を送ることによって、設定されたセカンダリセルを活性化および非活性化することができる。活性化／非活性化ＭＡＣ  ＣＥは、ＭＡＣ層の制御情報である。端末装置１は、活性化／非活性化ＭＡＣ  ＣＥを含むＰＤＳＣＨに対するＨＡＲＱ−ＡＣＫを、ＰＵＣＣＨを用いて基地局装置３に送信してもよい。
【００７０】
端末装置１は、設定されたサービングセルの活性化を指示する活性化／非活性化ＭＡＣ
ＣＥの受信に基づいて、該設定されたセカンダリセルを活性化してもよい。端末装置１は、設定されたサービングセルの非活性化を指示する活性化／非活性化ＭＡＣ  ＣＥの受信に基づいて、該設定されたセカンダリセルを非活性化してもよい。
【００７１】
図７は、本実施形態におけるセカンダリセルの活性化に関するフローを示す図である。
【００７２】
７００において、端末装置１は、セカンダリセルの活性化を指示する活性化／非活性化ＭＡＣ  ＣＥを受信する。
【００７３】
セカンダリセルに対する下りリンクＢＷＰのセットは、１つのデフォルト下りリンクＢＷＰと１つまたは複数の非デフォルト下りリンクＢＷＰを含んでもよい。セカンダリセルにおける非デフォルト下りリンクＢＷＰを、セカンダリセルにおける複数の下りリンクＢＷＰのうちのデフォルト下りリンクＢＷＰ以外の下りリンクＢＷＰとも称する。ＲＲＣＣｏｎｎｅｃｔｉｏｎＲｅｃｏｎｆｉｇｕｒａｔｉｏｎメッセージ６０５は、セカンダリセルにおけるデフォルト下りリンクＢＷＰ、および／または、非デフォルト下りリンクＢＷＰを示す情報を含んでもよい。
【００７４】
７０２において、端末装置１は、セカンダリセルにおける非デフォルト下りリンクＢＷＰが活性化されているかどうかを判定してもよい。
【００７５】
（７０２−１）セカンダリセルにおける非デフォルト下りリンクＢＷＰが活性化されていない場合、端末装置１は、セカンダリセルにおけるデフォルト下りリンクＢＷＰを活性化し、セカンダリセルの活性化に関する処理を終了してもよい。
【００７６】
（７０２−２）セカンダリセルにおける非デフォルト下りリンクＢＷＰが活性化されている場合、端末装置１は、セカンダリセルにおけるデフォルト下りリンクＢＷＰを活性化せずに、セカンダリセルの活性化に関する処理を終了してもよい。
【００７７】
７０２において、端末装置１は、セカンダリセルにおける何れかの下りリンクＢＷＰが活性化されているかどうかを判定してもよい。
【００７８】
（７０２−１）セカンダリセルにおける何の下りリンクＢＷＰも活性化されていない場合、端末装置１は、セカンダリセルにおけるデフォルト下りリンクＢＷＰを活性化し、セカンダリセルの活性化に関する処理を終了してもよい。
【００７９】
（７０２−２）セカンダリセルにおける何れかの下りリンクＢＷＰが活性化されている場合、端末装置１は、セカンダリセルにおけるデフォルト下りリンクＢＷＰを活性化せずに、セカンダリセルの活性化に関する処理を終了してもよい。
【００８０】
基地局装置３は、下りリンク制御情報を送ることによって、活性化されている下りリンクＢＷＰを他の下りリンクＢＷＰにスイッチすることができる。下りリンクＢＷＰにはインデックスが割り当てられていてもよい。当該下りリンク制御情報は下りリンクＢＷＰのインデックスを示すＢＷＰインデックス情報を含んでもよい。当該下りリンク制御情報は、ＢＷＰインデックス情報によって示される下りリンクＢＷＰにおける、ＰＤＳＣＨのために割り当てられるリソースを示す情報を含んでもよい。
【００８１】
端末装置１は、活性化されている下りリンクＢＷＰを含むサービングセルにおける非活性化されている下りリンクＢＷＰを示すＢＷＰインデックス情報を含む下りリンク制御情報を受信した場合に、当該サービングセルにおける活性化されている下りリンクＢＷＰを、当該下りリンクＢＷＰを示す情報によって示される下りリンクＢＷＰにスイッチしてもよい。
【００８２】
端末装置１は、あるサービングセルにおける活性化されている下りリンクＢＷＰにおいて、当該あるサービングセルにおける非活性化されている下りリンクＢＷＰを示すＢＷＰインデックス情報を含む下りリンク制御情報を受信した場合、当該あるサービングセルにおいて、活性化されている下りリンクＢＷＰを、当該下りリンクＢＷＰを示す情報によって示される下りリンクＢＷＰにスイッチしてもよい。
【００８３】
端末装置１は、あるサービングセルにおける活性化されている下りリンクＢＷＰにおいて、他のサービングセルにおける非活性化されている下りリンクＢＷＰを示すＢＷＰインデックス情報を含む下りリンク制御情報を受信したことに基づいて、当該あるサービングセルにおいて、活性化されている下りリンクＢＷＰをスイッチしなくてもよい。
【００８４】
図８は、本実施形態におけるセカンダリセルの下りリンクＢＷＰの一例を示す図である。
【００８５】
８３０はセカンダリセルの帯域幅である。帯域幅８３０は下りリンクＢＷＰ８３１、８３２、８３３、８３４を含む。下りリンクＢＷＰ８３２は、デフォルト下りリンクＢＷＰであってもよい。下りリンクＢＷＰ８３１、８３３、８３４は、非デフォルト下りリンク
ＢＷＰであってもよい。
【００８６】
８４０は下りリンクＢＷＰ８３２が活性化されている期間である。８４１は下りリンクＢＷＰ８３３が活性化されている期間である。８４２は下りリンクＢＷＰ８３４が活性化されている期間である。８４３は下りリンクＢＷＰ８３１が活性化されている期間である。
【００８７】
端末装置１は、下りリンクＢＷＰ８３１、８３２、８３３、８３４が非活性化されており、且つ、セカンダリセルの活性化を指示する活性化／非活性化ＭＡＣ  ＣＥを受信したことに基づいて、デフォルト下りリンクＢＷＰ８３２を活性化してもよい。
【００８８】
端末装置１は、デフォルト下りリンクＢＷＰ８３２が活性化されており、且つ、下りリンクＢＷＰ８３１、８３３、８３４が非活性化されており、且つ、セカンダリセルの活性化を指示する活性化／非活性化ＭＡＣ  ＣＥを受信したことに基づいて、デフォルト下りリンクＢＷＰ８３２を活性化してもよい。
【００８９】
（８５０）端末装置１は、８４０における下りリンクＢＷＰ８３２において下りリンクＢＷＰ８３３を示すＢＷＰインデックスを含むＰＤＣＣＨを検出したことに基づいて、活性化される下りリンクＢＷＰ８３２を非活性化し、非活性化されている下りリンクＢＷＰ８３３を活性化してもよい。
【００９０】
（８５１）端末装置１は、８４０における下りリンクＢＷＰ８３２において下りリンクＢＷＰ８３３を示すＢＷＰインデックスを含むＰＤＣＣＨを検出したことに基づいて、活性化される下りリンクＢＷＰ８３２を非活性化し、非活性化されている下りリンクＢＷＰ８３３を活性化してもよい。
【００９１】
（８５２）端末装置１は、８４１における下りリンクＢＷＰ８３３において下りリンクＢＷＰ８３４を示すＢＷＰインデックスを含むＰＤＣＣＨを検出したことに基づいて、活性化される下りリンクＢＷＰ８３３を非活性化し、非活性化されている下りリンクＢＷＰ８３４を活性化してもよい。
【００９２】
（８５３）端末装置１は、８４２における下りリンクＢＷＰ８３４において下りリンクＢＷＰ８３１を示すＢＷＰインデックスを含むＰＤＣＣＨを検出したことに基づいて、活性化される下りリンクＢＷＰ８３４を非活性化し、非活性化されている下りリンクＢＷＰ８３１を活性化してもよい。
【００９３】
端末装置１は、８４３において、セカンダリセルの非活性化を指示する活性化／非活性化ＭＡＣ  ＣＥを受信したことに基づいて、下りリンクＢＷＰ８３１を非活性化してもよい。
【００９４】
８０Ｘ（Ｘ＝１、２、３、４）、８１Ｙ（Ｙ＝１、２、３、４）、および、８２Ｚ（１、２）はＣＯＲＥＳＥＴである。端末装置１は、ＣＯＲＥＳＥＴにおいてＰＤＣＣＨをモニタする。８０Ｘは、第１のＣＯＲＥＳＥＴの設定に対応している。８１Ｙは、第２のＣＯＲＥＳＥＴの設定に対応している。８２Ｚは、第３のＣＯＲＥＳＥＴの設定に対応している。ＣＯＲＥＳＥＴの設定は、ＣＯＲＥＳＥＴの帯域幅、ＣＯＲＥＳＥＴを構成するＯＦＤＭシンボルの数、および／または、ＣＯＲＥＳＥＴの周期を少なくとも示してもよい。
【００９５】
下りリンクＢＷＰ８３１は、第２のＣＯＲＥＳＥＴの設定と第３のＣＯＲＥＳＥＴの設定に対応する。下りリンクＢＷＰ８３２は、第１のＣＯＲＥＳＥＴの設定に対応する。下
りリンクＢＷＰ８３３は、第２のＣＯＲＥＳＥＴの設定に対応する。下りリンクＢＷＰ８３４は、第１のＣＯＲＥＳＥＴの設定に対応する。
【００９６】
端末装置１は、下りリンクＢＷＰ８３１が活性化されている場合に、第２のＣＯＲＥＳＥＴの設定に対応する第２のＣＯＲＥＳＥＴ（８１３、８１４）、および、第３のＣＯＲＥＳＥＴの設定に対応する第３のＣＯＲＥＳＥＴ（８２１、８２２）においてＰＤＣＣＨをモニタしてもよい。
【００９７】
端末装置１は、下りリンクＢＷＰ８３２が活性化されている場合に、第１のＣＯＲＥＳＥＴの設定に対応する第１のＣＯＲＥＳＥＴ（８０１、８０２）においてＰＤＣＣＨをモニタしてもよい。
【００９８】
端末装置１は、下りリンクＢＷＰ８３３が活性化されている場合に、第２のＣＯＲＥＳＥＴの設定に対応する第２のＣＯＲＥＳＥＴ（８１１、８１２）においてＰＤＣＣＨをモニタしてもよい。
【００９９】
端末装置１は、下りリンクＢＷＰ８３４が活性化されている場合に、第１のＣＯＲＥＳＥＴの設定に対応する第１のＣＯＲＥＳＥＴ（８０３、８０４）においてＰＤＣＣＨをモニタしてもよい。
【０１００】
以下、ＣＯＲＥＳＥＴ（control resource set）について説明をする。
【０１０１】
図９は、本実施形態におけるＣＯＲＥＳＥＴの一例を示す図である。時間領域において、ＣＯＲＥＳＥＴはスロットの最初のＯＦＤＭシンボルに含まれてもよい。ＣＯＲＥＳＥＴは、周波数領域において連続する複数のリソースエレメントから構成されてもよい。ＣＯＲＥＳＥＴは複数のＣＣＥから構成されてもよい。１つのＣＣＥは周波数領域において連続する６つのＲＥＧから構成されてもよい。１つのＲＥＧは風波数領域において連続する１２のリソースエレメントから構成されてもよい。
【０１０２】
図１０は、本実施形態におけるサーチスペースの一例を示す図である。サーチスペースは、ＰＤＣＣＨ候補のセットである。ＰＤＣＣＨはＰＤＣＣＨ候補において送信される。端末装置１は、サーチスペースにおいてＰＤＣＣＨのデコードを試みる。ＰＤＣＣＨ候補は、１つまたは複数の連続するＣＣＥから構成されてもよい。ＰＤＣＣＨ候補を構成するＣＣＥの数をアグリゲーションレベルとも称する。サーチスペースはアグリゲーションレベル毎に定義されてもよい。サーチスペース１０Ａはアグリゲーションレベルが１６であるＰＤＣＣＨ候補１０ＡＡを含む。サーチスペース１０Ｂはアグリゲーションレベルが８であるＰＤＣＣＨ候補１０ＢＡ、１０ＢＢを含む。
【０１０３】
以下、本実施形態における、端末装置１および基地局装置３の種々の態様について説明する。
【０１０４】
（１）本実施形態の第１の態様は、端末装置１であって、セカンダリセルの活性化を指示する活性化／非活性化ＭＡＣ  ＣＥを受信する受信部と、前記活性化／非活性化ＭＡＣ
ＣＥを受信したこと、および、前記セカンダリセルに含まれる複数の下りリンクＢＷＰのうちの何れも活性化されていないことに少なくとも基づいて、前記複数の下りリンクＢＷＰのうちの第１の下りリンクＢＷＰを活性化する媒体アクセス制御層処理部と、を備える。例えば、セカンダリセルの活性化を指示するＭＡＣ  ＣＥを受信した場合に、端末装置１は、前記セカンダリセルにおける全ての下りリンクＢＷＰ８３１、８３２、８３３、８３４が活性化されていないことに少なくとも基づいて、デフォルト下りリンクＢＷＰ８３２を活性化してもよい。
【０１０５】
（２）本実施形態の第１の態様において、前記媒体アクセス制御層処理部は、前記複数の下りリンクＢＷＰのうち、前記第１の下りリンクＢＷＰ以外の下りリンクＢＷＰが活性化されている場合、前記活性化／非活性化ＭＡＣ  ＣＥを受信したとしても、前記第１の下りリンクＢＷＰを活性化しない。例えば、セカンダリセルに含まれる非デフォルト下りリンクＢＷＰ８３１、８３３、８３４の何れかが既に活性化されている場合、前記セカンダリセルの活性化を指示する活性化／非活性化ＭＡＣ  ＣＥを受信したことに基づいて、デフォルト下りリンクＢＷＰ８３２を活性化しなくてもよい。例えば、セカンダリセルに含まれるデフォルト下りリンクＢＷＰ８３２が既に活性化されている場合、前記セカンダリセルの活性化を指示する活性化／非活性化ＭＡＣ  ＣＥを受信したことに基づいて、デフォルト下りリンクＢＷＰ８３２を再活性化してもよいし、しなくてもよい。
【０１０６】
（３）本実施形態の第１の態様において、前記複数の下りリンクＢＷＰのそれぞれはインデックスに対応し、前記第１の下りリンクＢＷＰは最も小さいインデックスに対応している。ＲＲＣＣｏｎｎｅｃｔｉｏｎＲｅｃｏｎｆｉｇｕｒａｔｉｏｎメッセージ６０５は、下りリンクＢＷＰのインデックスを示す情報を含んでもよい。
【０１０７】
（４）本実施形態の第１の態様において、前記第１の下りリンクＢＷＰは、基地局装置から受信されたパラメータ（ＲＲＣＣｏｎｎｅｃｔｉｏｎＲｅｃｏｎｆｉｇｕｒａｔｉｏｎメッセージ６０５）によって指示される。
【０１０８】
（５）本実施形態の第２の態様は、基地局装置３であって、セカンダリセルの活性化を指示する活性化／非活性化ＭＡＣ  ＣＥを、端末装置に送信する送信部と、前記活性化／非活性化ＭＡＣ  ＣＥを送信することによって、前記セカンダリセルに含まれる複数の下りリンクＢＷＰのうちの活性化される下りリンクＢＷＰを制御する媒体アクセス制御層処理部と、を備え、前記複数の下りリンクＢＷＰのうちの第１の下りリンクＢＷＰは、前記活性化／非活性化ＭＡＣ  ＣＥを受信したこと、および、前記セカンダリセルに含まれる複数の下りリンクＢＷＰのうちの何れも活性化されていないことに少なくとも基づいて、前記端末装置によって活性化される。
【０１０９】
（６）本実施形態の第３の態様は、端末装置１であって、セカンダリセルの活性化を指示する活性化／非活性化ＭＡＣ  ＣＥを受信する受信部と、前記活性化／非活性化ＭＡＣ
ＣＥを受信したこと、および、前記セカンダリセルに含まれる複数の下りリンクＢＷＰのうちの何れも活性化されていないことに少なくとも基づいて、第１のＣＯＲＥＳＥＴのセットにおけるＰＤＣＣＨのモニタに関する機能を活性化する媒体アクセス制御層処理部と、を含み、前記第１のＣＯＲＥＳＥＴは、前記セカンダリセルに含まれる複数のＣＯＲＥＳＥＴのうちの１つまたは複数を含む。第１のＣＯＲＥＳＥＴのセットは、第１のＣＯＲＥＳＥＴの設定に対応している。例えば、第１のＣＯＲＥＳＥＴのセットは、ＣＯＲＥＳＥＴ８１１、８１２を含んでもよい。下りリンクＢＷＰを活性化することは、当該下りリンクＢＷＰに属する１つまたは複数のＣＯＲＥＳＥＴにおけるＰＤＣＣＨのモニタに関する機能を活性化することである。
【０１１０】
（７）本実施形態の第３の態様において、前記媒体アクセス制御層処理部は、前記第１のＣＯＲＥＳＥＴのセットにおいて検出したＰＤＣＣＨに含まれるＢＷＰインデックス情報に基づいて、前記第１のＣＯＲＥＳＥＴのセットにおける前記ＰＤＣＣＨのモニタに関する機能の非活性化と、第２のＣＯＲＥＳＥＴのセットにおける前記ＰＤＣＣＨのモニタに関する機能の活性化を行い、前記第２のＣＯＲＥＳＥＴのセットは、前記セカンダリセルに含まれる複数のＣＯＲＥＳＥＴのうちの１つまたは複数を含む。第２のＣＯＲＥＳＥＴのセットは、第２のＣＯＲＥＳＥＴの設定に対応している。例えば、第２のＣＯＲＥＳＥＴのセットは、ＣＯＲＥＳＥＴ８２１、８２２を含んでもよい。
【０１１１】
（８）本実施形態の第３の態様において、前記第１のＣＯＲＥＳＥＴのセットとは異なるＣＯＲＥＳＥＴのセットにおけるＰＤＣＣＨのモニタに関する機能が活性化されている場合、前記活性化／非活性化ＭＡＣ  ＣＥを受信したとしても、前記第１のＣＯＲＥＳＥＴのセットにおける前記ＰＤＣＣＨのモニタに関する機能を活性化せず、前記第１のＣＯＲＥＳＥＴのセットとは異なるＣＯＲＥＳＥＴのセットは、前記セカンダリセルに含まれる複数のＣＯＲＥＳＥＴのうちの１つまたは複数を含む。例えば、セカンダリセルの活性化を指示する活性化／非活性化ＭＡＣ  ＣＥを受信した場合に、第２のＣＯＲＥＳＥＴのセット、および／または、第３のＣＯＲＥＳＥＴのセットにおけるＰＤＣＣＨのモニタに関する機能が既に活性化されている場合、第１のＣＯＲＥＳＥＴのセットにおけるＰＤＣＣＨのモニタに関する機能を活性化しなくてもよい。例えば、セカンダリセルの活性化を指示する活性化／非活性化ＭＡＣ  ＣＥを受信した場合に、ＣＯＲＥＳＥＴ  ＡＡＡ、ＢＢＢ、ＣＣＣのうちＣＯＲＥＳＥＴ  ＢＢＢにおけるＰＤＣＣＨのモニタに関する機能が既に活性化されている場合、ＣＯＲＥＳＥＴ  ＡＡＡにおけるＰＤＣＣＨのモニタに関する機能を活性化しなくてもよい。第３のＣＯＲＥＳＥＴのセットは、第３のＣＯＲＥＳＥＴの設定に対応している。例えば、第２のＣＯＲＥＳＥＴ８２３、８２４のセット、および、第３のＣＯＲＥＳＥＴ８３１、８３２のセットにおけるＰＤＣＣＨのモニタに関する機能が既に活性化されている場合、セカンダリセルの活性化を指示する活性化／非活性化ＭＡＣ  ＣＥを受信したとしても、第１のＣＯＲＥＳＥＴの設定に対応する第１のＣＯＲＥＳＥＴのセットにおけるＰＤＣＣＨのモニタに関する機能を活性化しなくてもよい。
【０１１２】
（９）本実施形態の第４の態様は、基地局装置３であって、セカンダリセルの活性化を指示する活性化／非活性化ＭＡＣ  ＣＥを、端末装置に送信する送信部と、前記活性化／非活性化ＭＡＣ  ＣＥを送信することによって、前記セカンダリセルに含まれる複数のＣＯＲＥＳＥＴのうち、前記端末装置によってＰＤＣＣＨのモニタリングに関する機能が活性化されるＣＯＲＥＳＥＴを制御する媒体アクセス制御層処理部と、を備え、第１のＣＯＲＥＳＥＴのセットにおけるＰＤＣＣＨのモニタに関する機能は、前記活性化／非活性化ＭＡＣ  ＣＥを受信したこと、および、前記セカンダリセルに含まれる複数の下りリンクＢＷＰのうちの何れも活性化されていないことに少なくとも基づいて、前記端末装置によって活性化され、前記第１のＣＯＲＥＳＥＴは、前記セカンダリセルに含まれる複数のＣＯＲＥＳＥＴのうちの１つまたは複数を含む。
【０１１３】
これにより、端末装置１と基地局装置３は効率的に下りリンクの送受信をすることができる。
【０１１４】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１１５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１１６】
尚、ここでいう「コンピュータシステム」とは、端末装置１、又は基地局装置３に内蔵されたコンピュータシステムであって、ＯＳや周辺機器等のハードウェアを含むものとす
る。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１１７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１１８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１１９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１２０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１２１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１２２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１２３】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019080111.tif 000003
【図２】
2019080111.tif 000004
【図３】
2019080111.tif 000005
【図４】
2019080111.tif 000006
【図５】
2019080111.tif 000007
【図６】
2019080111.tif 000008
【図７】
2019080111.tif 000009
【図８】
2019080111.tif 000010
【図９】
2019080111.tif 000011
【図１０】
2019080111.tif 000012